(57)【要約】【課題】  床面とこの床面の上にある障害物との間の隙間が狭くても、この隙間から吸込口体をその障害物の下の奥まで入れることのできる電気掃除機を提供する。【解決手段】  集塵室と電動送風機と前記集塵室に一端側が連通するとともに上下方向に延びた外パイプ２２Ａとを有する掃除機本体２１と、一端側が外パイプ２２Ａと連通しこの外パイプ２２Ａに摺動自在に取り付けられた延長管２２Ｂと、この延長管２２Ｂの他端側に接続された吸込口体４０とを備え、延長管２２Ｂを伸長させた際にこの延長管２２Ｂが掃除機本体２１から下方に突出するようにした。【選択図】  図１
2005110737.tif 000002
【特許請求の範囲】
【請求項１】
集塵室と電動送風機と前記集塵室に一端側が連通するとともに上下方向に延びた連通風路とを有する掃除機本体と、一端側が前記連通風路と連通しこの連通風路に摺動自在に取り付けられた延長管と、この延長管の他端側に接続された吸込口体とを備えた電気掃除機であって、
前記延長管を伸長させた際にこの延長管が掃除機本体から下方に突出することを特徴とする電気掃除機。
【請求項２】
前記掃除機本体に一端を固定するとともに他端側に把手部を有するアームと、前記延長管を所定の長さにロックするロック機構とを有し、このロック機構によるロックを解除する解除手段を前記アームの把手部近傍に設けたことを特徴とする請求項１に記載の電気掃除機。
【発明の詳細な説明】
【技術分野】
【０００１】
この発明は、吸込口体に設けた接続管に掃除機本体を取り付けたアップライト式の電気掃除機に関する。
【背景技術】
【０００２】
従来から、図１１に示すアップライト式の電気掃除機１が知られている（特許文献１参照）。
【０００３】
かかる電気掃除機１は、吸込口本体２の後部に接続管３が取り付けられており、この接続管３が掃除機本体４に設けた接続口５に接続されている。掃除機本体４内に電動送風機６と集塵室７とが設けられており、集塵室７には集塵フィルタ８が着脱可能に装着されている。集塵室７には吸込口７ａが形成され、この吸込口７ａにはホース９の一端が取り付けられており、ホース９の他端は接続口５に接続されている。そして、集塵室７はホース９,接続口５および接続管３を介して吸込口体２の吸込室(図示せず)に連通している。この吸込室の下面が塵埃を吸い込む吸込開口(図示せず)となっている。
【０００４】
また、掃除機本体４にはハンドル１０が取り付けられており、ハンドル１０の上部には把手部１１が設けられている。
【０００５】
そして、電動送風機６が駆動されると集塵室７が負圧となり、この負圧がホース９,接続口５および接続管３を介して吸込口体２の吸込室に作用し、吸込室の吸込開口から塵埃が空気とともに吸い込まれていき、この塵埃および空気は接続管３,接続口５およびホース９を介して集塵室７の集塵フィルタ８に集塵されていく。
【特許文献１】特開平５−３４４９３８号公報
【発明の開示】
【発明が解決しようとする課題】
【０００６】
しかしながら、このような電気掃除機にあっては、ハンドル１０の操作性をよくするために重量の重い掃除機本体４を吸込口体２の近傍に設けていることにより、吸込口体２と掃除機本体４との間の距離、すなわち、接続管３の長さが短くなっている。このため、例えばベッドの下端と床面との間の隙間が狭い場合、掃除機本体４がベッドの下端に当たってしまうので、その隙間からベッドの下の奥まで吸込口体２を入れることができず、ベッドの下の奥を掃除することができない等の問題があった。
【０００７】
この発明の目的は、床面とこの床面の上にある障害物との間の隙間が狭くても、この隙間から吸込口体をその障害物の下の奥まで入れることのできる電気掃除機を提供することにある。
【課題を解決するための手段】
【０００８】
請求項１の発明は、集塵室と電動送風機と前記集塵室に一端側が連通するとともに上下方向に延びた連通風路とを有する掃除機本体と、一端側が前記連通風路と連通しこの連通風路に摺動自在に取り付けられた延長管と、この延長管の他端側に接続された吸込口体とを備えた電気掃除機であって、
前記延長管を伸長させた際にこの延長管が掃除機本体から下方に突出することを特徴とする。
【発明の効果】
【０００９】
この発明によれば、延長管を伸長させた際にこの延長管が掃除機本体から下方に突出するものであるから、この延長管を伸長させることにより床面とこの床面の上にある障害物との間の隙間が狭くても、この隙間から吸込口体をその障害物の下の奥まで入れて掃除を行うことができる。
【発明を実施するための最良の形態】
【００１０】
以下、この発明に係るアップライト式の電気掃除機の実施の形態を図面に基づいて説明する。
【実施例】
【００１１】
図１に示すアップライト式の電気掃除機２０は、電気掃除機本体２１と、この電気掃除機本体２１に設けられるとともに上下方向に延びた延長管２２Ｂと、この延長管２２Ｂの下部（他端側）に着脱自在に取り付けた吸込口体４０と、掃除機本体２１の上部に上方に延びたアーム２７等とを備えている。
【００１２】
掃除機本体２１内には、図示しない集塵室とこの集塵室の空気を吸引する電動送風機(図示せず)とコードリール(図示せず)等とが設けられている。集塵室には集塵フィルタ(図示せず)が着脱可能に装着されている。また、掃除機本体２１には排気口２６が形成されており、電動送風機が吸引した空気がその排気口２６から排気されるようになっている。
【００１３】
延長管２２Ｂは、掃除機本体２１の一部を形成する外パイプ部（連通風路）２２Ａ内に、図２に示すように上下動可能（摺動自在）に挿入されており、この延長管（内パイプ）２２Ｂは外パイプ部２２Ａ内を上下動させることによって伸縮することになる。外パイプ部２２Ａの上端側（一端側）は掃除機本体２１の集塵室に連通しており、延長管２２Ｂの上部（一端）は外パイプ部２２Ａを介して集塵室に連通し、延長管２２Ｂは図示しないロック機構のロックピンＰによって外パイプ部２２Ａに固定されるようになっている。
【００１４】
ロックピンＰは、外パイプ部２２Ａに設けた孔２２ｂを貫通して延長管２２Ｂの凹部２３に係合することにより、延長管２２Ｂを外パイプ部２２Ａに固定するものである。凹部２３は延長管２２Ｂの外周面に上下方向に沿って所定間隔毎に形成されている。そして、ロック機構の解除ボタン２４を押すと、ロックピンＰは外パイプ部２２Ａの孔２２ｂ内に引き込まれて、ロックピンＰの先端部が内パイプ２２Ｂの凹部２３から外れてロックが解除される。このロックの解除により、延長管２２Ｂは外パイプ部２２から所望の長さだけ、すなわわち掃除機本体２１から下方へ所望の長さだけ引き出すことができる。
【００１５】
解除ボタン２４から指を離すと、ロックピンＰがロック機構の図示しないスプリングの付勢力により外パイプ部２２Ａの孔２２ｂから延長管２２Ｂに向けて突出し、ロックピンＰの先端部が延長管２２Ｂの凹部２３に係合することにより延長管２２Ｂが外パイプ部２２Ａに固定される。すなわち、掃除機本体２１から引き出された延長管２２の長さを段階的に調整することができる。
【００１６】
吸込口体４０は、吸込口本体４１と、この吸込口本体４１の後部に設けた回転管４２等とを備えている。回転管４２は吸込口本体４１に対して前後方向に回動可能となっており、この回転管４２に延長管２２Ｂの先端部（下部）が着脱可能に接続されている。
【００１７】
吸込口本体４１には図示しない吸込室が形成されており、この吸込室の下面が塵埃を吸い込む吸込開口となっている。そして、吸込室と回転管４２とが連通し、回転管４２が延長管２２Ｂおよび外パイプ部２２Ａを介して掃除機本体２１の集塵室に連通している。すなわち、吸込口本体４１の吸込室と掃除機本体２１の集塵室とが回転管４２および延長管２２Ｂを介して連通している。
［動  作］
次に、上記のように構成される電気掃除機２０の動作について説明する。
【００１８】
図示しない電源スイッチをオンにすると、電動送風機が駆動されて集塵室が負圧となり、この負圧が外パイプ部２２Ａ,延長管２２Ｂ,吸込口本体４１の回転管４２を介して吸込口本体４１の吸込室に作用し、吸込室の吸込開口から空気とともに塵埃が吸引されていく。吸込室に吸引された空気および塵埃は吸込口本体４１の回転管４２,延長管２２Ｂおよび外パイプ部２２Ａを介して電気掃除機本体２１の集塵室の集塵フィルタに集塵されていく。そして、アーム２７を操作して吸込口体４０を床面上を移動させていけばその床面等の掃除を行うことができる。
【００１９】
そして、例えばベッド等の下を掃除する場合、解除ボタン２４を押して延長管２２Ｂを外パイプ部２２Ａから引き出して、図３に示すように延長管２２Ｂを所望の長さにだけ掃除機本体２１から伸長させる。そして、解除ボタン２４から指を離せば、図２に示すようにロックピンＰにより延長管２２Ｂは外パイプ部２２Ａに固定される。
【００２０】
延長管２２Ｂが伸長されているので、掃除機本体２１をベッドの下部に当ててしまうことなく吸込口体４０をベッドの下の奥まで入れることができ、ベッドの下の奥の床面を掃除することができる。
【００２１】
このように、床面とこの床面の上にある障害物との間の隙間が狭くても、掃除機本体２１をその障害物に当ててしまうことなく、その隙間から吸込口体４０をその障害物の下の奥まで入れることができ、障害物の下の奥の床面を掃除することができる。
［第２実施例］
図４は第２実施例の電気掃除機１００を示したものである。この電気掃除機１００は、アーム１２７の把手部１２７Ａの近傍に後述するロック機構１１０（図５参照）のロックを解除する解除レバー（解除手段）１０１を設けたものである。
【００２２】
ロック機構１１０は、図５に示すように、延長管１２２Ｂを掃除機本体２１の一部を形成した外パイプ部（連通風路）１２２Ａに固定するリング状の弾性を有するロック体１１１を有している。外パイプ部１２２Ａの上端側（一端側）は掃除機本体２１の集塵室に連通し、延長管１２２Ｂの上部（一端）は外パイプ部１２２Ａを介して集塵室に連通している。
【００２３】
ロック体１１１は、外パイプ部１２２Ａの下部１２２ｂと、アーム１２７の下部１２７Ｂとの間に設けたガイド部材１３０（図６参照）に保持されている。このガイド部材１３０は、断面がコ字状に形成され、ロック体１１１の径が拡開できるようにそのロック体１１１を保持するとともに、ロック体１１１が上下方向に移動しないように規制するようになっている。
【００２４】
ロック体１１１の内側には、図７および図８に示すように突起１１２が形成され、この突起１１２に対向する位置にはギャップ１１３が形成され、このギャップ１１３によってロック体１１１は径方向に拡開可能となっている。ギャップ１１３の上部には上に行くに従って隙間が広くなる傾斜面１１３ａが形成され、この傾斜面１１３ａによって後述する解除コマ１１４がギャップ１１３へ挿入し易いようになっている。
【００２５】
延長管１２２Ｂは、ロック体１１１のリング孔１１１Ａ内を貫通してロック体１１１および外パイプ部１２２Ａに対して相対的に上下動可能となっている。この延長管１２２Ｂには上下方向に沿って所定間隔毎に凹部１２４が形成され、この凹部１２４にロック体１１１の突起１１２が係合することにより延長管１２２Ｂが外パイプ部１２２Ａに固定されるようになっている。
【００２６】
ロック体１１１のギャップ１１３の上方には、図６に示すように解除コマ１１４が上下動可能に配置されており、この解除コマ１１４に金属性の棒材１１５の下部が接続され、その棒材１１５の上部はアーム１２７に回動自在に軸支された回動部材１１６の一端に接続されている。回動部材１１６の他端には金属製の棒部材１１７の下部が接続され、棒部材１１７の上部が解除レバー１０１に接続されている。回動部材１１６と棒部材１１５,１１７は中空のアーム１２７内に配置されている。
【００２７】
そして、解除レバー１０１を上方へ引くと棒部材１１７が上方に移動することにより回動部材１１６が反時計回り（図９において）に回動し、棒部材１１５が下方に移動することにより解除コマ１１４が下方に移動する。解除レバー１０１から指を離すと、図示しないスプリングの付勢力によって回動部材１１６が時計回りに回動して棒部材１１５が上方に移動することにより解除コマ１１４が上方に移動する。
【００２８】
解除コマ１１４の両側部には、下方にいくに従って幅が狭くなるように傾斜面１１４Ａが形成され、ロック体１１１を径方向に拡開しながら解除コマ１１４がロック体１１１のギャップ１１３に挿入していくようになっている。
【００２９】
解除コマ１１４が図１０に示すようにロック体１１１のギャップ１１３に完全に挿入されると、図８に示すように、ロック体１１１が径方向に拡開して、ロック体１１１の突起１１２が延長管１２２Ｂの凹部１２４から外れ、延長管１２２Ｂを外パイプ部１２２Ａから引き出せるようになっている。そして、解除コマ１１４がロック体１１１のギャップ１１３から外されると、ロック体１１１は弾性力により図７に示すように延長管１２２Ｂに圧接するとともにロック体１１１の突起１１２が延長管１２２Ｂの凹部１２４に係合して、延長管１２２Ｂが外パイプ部１２２Ａに固定される。
【００３０】
この電気掃除機１００によれば、一方の手で把手部１２７Ａを握りながら解除レバー１０１を引いて延長管１２２Ｂのロックを解除して、他方の手で延長管１２２Ｂを引き出すことができるので、その一方の手で掃除機本体２１を確実に支えることができ、このため他方の手で延長管１２２Ｂを引き出す際に掃除機本体２１を転倒させてしまうことがない。このため、使用勝手のよいものとなる。
【図面の簡単な説明】
【００３１】
【図１】この発明に係る電気掃除機の外観を示した斜視図である。
【図２】延長管の一部を拡大した部分拡大図である。
【図３】延長管を伸長させた状態を示した電気掃除機の斜視図である。
【図４】第２実施例の電気掃除機の外観を示した斜視図である。
【図５】アームおよび延長管を示した断面図である。
【図６】ロック機構の構成を示した断面図である。
【図７】延長管とロック体を示した断面図である。
【図８】ロック体が拡開してロックが解除された状態を示した断面図である。
【図９】棒部材と回動部材の関係を示した説明図である。
【図１０】ロック体が拡開した状態を示したロック機構の断面図である。
【図１１】従来の掃除機の構成を示した説明図である。
【符号の説明】
【００３２】
２０      電気掃除機
２１      掃除機本体
２２Ａ    外パイプ（連通風路）
２２Ｂ      延長管
１      吸込口体
【図１】
2005110737.tif 000003
【図２】
2005110737.tif 000004
【図３】
2005110737.tif 000005
【図４】
2005110737.tif 000006
【図５】
2005110737.tif 000007
【図６】
2005110737.tif 000008
【図７】
2005110737.tif 000009
【図８】
2005110737.tif 000010
【図９】
2005110737.tif 000011
【図１０】
2005110737.tif 000012
【図１１】
2005110737.tif 000013